(57)【要約】【課題】この発明は、ラジアルチルト信号、タンジェンシャル信号のどちらかしか検出できなかったり演算手段の煩雑化などの問題が生じたりし、光記録媒体のチルト検出とトラック誤差信号検出でサイズアップ、コストアップが生じてしまうという課題を解決しようとするものである。【解決手段】この発明は、光記録媒体１０７から反射された回折光を受光し、０次回折光と±１次回折光との重なる領域である干渉領域の光強度に基づいて、光記録媒体１０７のラジアル方向チルト量とタンジェンシャル方向チルト量を表すチルト信号を独立に生成する手段１０８〜１１０と、前記干渉領域部分の光強度と、０次回折光と±１次回折光とが重ならない無干渉領域部分の光強度との差分からトラック誤差信号を生成する手段１０８〜１１０とを備えたものである。【選択図】  図１
2005018894.tif 000002
【特許請求の範囲】
【請求項１】
光記録媒体の記録面に光ビームを照射して情報の再生、記録、消去の１つ以上を行う光ピックアップ装置において、前記光記録媒体から反射された回折光を受光し、０次回折光と±１次回折光との重なる領域である干渉領域の光強度に基づいて、前記光記録媒体のラジアル方向チルト量とタンジェンシャル方向チルト量を表すチルト信号を独立に生成する手段と、前記干渉領域部分の光強度と、０次回折光と±１次回折光とが重ならない無干渉領域部分の光強度との差分からトラック誤差信号を生成する手段とを備えたことを特徴とする光ピックアップ装置。
【請求項２】
請求項１記載の光ピックアップ装置において、前記受光素子の分割パターンが、前記干渉領域を前記光記録媒体の接線方向にそれぞれ４分割し、さらに前記反射光の中央部を受光する領域を前記光記録媒体の接線方向、半径方向にそれぞれ２分割したパターンであり、前記受光素子の各分割部分の受光信号を前記光記録媒体の半径方向内側から前記光記録媒体の回転方向順にそれぞれＡ、Ｂ、Ｇ、Ｈ、Ｅ、Ｋ、Ｆ、Ｍ、Ｃ、Ｄ、Ｉ、Ｊとすると、フォーカス誤差信号Ｆｏ、トラック誤差信号Ｔｒ、ラジアルチルト信号Ｔｒａｄ、タンジェンシャルチルト信号Ｔｔａｎは、ｋを前記光記録媒体によって決まる定数とする時、
2005018894.tif 000003
なる演算に基づき生成することを特徴とする光ピックアップ装置。
【請求項３】
請求項１記載の光ピックアップ装置において、前記受光素子の分割パターンが、前記光記録媒体の接線方向に２分割された２つの領域のうちの一方の領域において前記干渉領域を前記接線方向にそれぞれ２分割し、前記反射光の中央部を受光する領域を前記光記録媒体の半径方向に２分割し、前記２つの領域のもう一方の領域において前記干渉領域と前記反射光の中央部を受光する領域とをそれぞれ前記半径方向に２分割したパターンであり、前記受光素子の各分割部分の受光信号を前記半径方向内側から前記光記録媒体の回転方向順にそれぞれＡ、Ｂ、Ｇ、Ｅ、Ｈ、Ｆ、Ｉ、Ｃ、Ｄ、Ｊとすると、フォーカス誤差信号Ｆｏ、トラック誤差信号Ｔｒ、ラジアルチルト信号Ｔｒａｄ、タンジェンシャルチルト信号Ｔｔａｎは、ｋを前記光記録媒体によって決まる定数とする時、
Ｆｏ＝Ａ＋Ｂ＋Ｅ＋Ｉ＋Ｊ−（Ｃ＋Ｄ＋Ｆ＋Ｇ＋Ｈ）
Ｔｒ＝Ａ＋Ｂ＋Ｇ−（Ｃ＋Ｄ＋Ｊ）−ｋ｛Ｅ＋Ｈ−（Ｆ＋Ｉ）｝
Ｔｒａｄ＝Ａ＋Ｄ−（Ｂ＋Ｃ）
Ｔｔａｎ＝Ａ＋Ｂ＋Ｃ＋Ｄ−（Ｇ＋Ｊ）
なる演算に基づき生成することを特徴とする光ピックアップ装置。
【請求項４】
請求項１記載の光ピックアップ装置において、前記受光素子の分割パターンが、前記光記録媒体の接線方向に２分割された２つの領域のうちの一方の領域において前記干渉領域を前記接線方向にそれぞれ２分割し、前記反射光の中央部を受光する領域を前記光記録媒体の半径方向に２分割し、前記２つの領域のもう一方の領域を前記半径方向に２分割したパターンであり、前記受光素子の各分割部分の受光信号を前記半径方向内側から前記光記録媒体の回転方向順にそれぞれＡ、Ｂ、Ｅ、Ｇ、Ｆ、Ｃ、Ｄ、Ｈとすると、フォーカス誤差信号Ｆｏ、トラック誤差信号Ｔｒ、ラジアルチルト信号Ｔｒａｄ、タンジェンシャルチルト信号Ｔｔａｎは、ｋを前記光記録媒体によって決まる定数とする時、
Ｆｏ＝Ａ＋Ｂ＋Ｅ＋Ｈ−（Ｃ＋Ｄ＋Ｆ＋Ｇ）
Ｔｒ＝Ａ＋Ｂ−（Ｃ＋Ｄ）−ｋ（Ｅ−Ｆ）
Ｔｒａｄ＝Ａ＋Ｄ−（Ｂ＋Ｃ）
Ｔｔａｎ＝Ａ＋Ｂ＋Ｅ＋Ｃ＋Ｄ＋Ｆ−（Ｇ＋Ｈ）
なる演算に基づき生成することを特徴とする光ピックアップ装置。
【請求項５】
請求項１記載の光ピックアップ装置において、前記光記録媒体から反射された回折光を前記受光素子へ導く回折素子の分割パターンが、前記干渉領域を前記光記録媒体の接線方向にそれぞれ４分割し、さらに前記反射光の中央部を受光する領域を前記接線方向に分割してその一方の領域を前記光記録媒体の半径方向に２分割したパターンであり、前記回折素子の各分割部分からの受光信号、前記反射光の中央部を受光する領域を前記接線方向に分割した２つの領域のもう一方の領域からの受光信号を除いて、前記半径方向内側から前記光記録媒体の回転方向順にそれぞれＡ、Ｂ、Ｇ、Ｈ、Ｅ、Ｆ、Ｃ、Ｄ、Ｉ、Ｊとし、前記反射光の中央部を受光する領域を前記接線方向に分割した２つの領域のもう一方の領域から回折された光を検出する２分割分離された受光素子からの信号をＫ１、Ｋ２とすると、フォーカス誤差信号Ｆｏ、トラック誤差信号Ｔｒ、ラジアルチルト信号Ｔｒａｄ、タンジェンシャルチルト信号Ｔｔａｎは、ｋを前記光記録媒体によって決まる定数とする時、
Ｆｏ＝Ｋ１−Ｋ２
Ｔｒ＝Ａ＋Ｂ−（Ｃ＋Ｄ）−ｋ（Ｅ−Ｆ）
Ｔｒａｄ＝Ａ＋Ｄ＋Ｉ＋Ｈ−（Ｂ＋Ｇ＋Ｃ＋Ｊ）
Ｔｔａｎ＝Ａ＋Ｂ＋Ｃ＋Ｄ−（Ｇ＋Ｈ＋Ｉ＋Ｊ）
なる演算に基づき生成することを特徴とする光ピックアップ装置。
【請求項６】
請求項１記載の光ピックアップ装置において、前記光記録媒体から反射された回折光を前記受光素子へ導く回折素子の分割パターンが、前記光記録媒体の接線方向に２分割された２つの領域のうちの一方の領域において前記干渉領域を前記接線方向にそれぞれ２分割し、前記反射光の中央部を前記受光素子へ導く領域を前記光記録媒体の半径方向に２分割したパターンであり、前記一方の領域の各分割部分からの受光信号を前記半径方向内側から前記光記録媒体の回転方向順にそれぞれＡ、Ｂ、Ｅ、Ｆ、Ｃ、Ｄとし、前記２つの領域のうちのもう一方の領域の前記干渉領域からの受光信号をＧ，Ｈ、前記もう一方の領域の中央部から回折された光を検出する２分割分離された受光素子からの信号をＩ１、Ｉ２とすると、フォーカス誤差信号Ｆｏ、トラック誤差信号Ｔｒ、ラジアルチルト信号Ｔｒａｄ、タンジェンシャルチルト信号Ｔｔａｎは、ｋを前記光記録媒体によって決まる定数とする時、
Ｆｏ＝Ｉ１−Ｉ２
Ｔｒ＝Ａ＋Ｂ−（Ｃ＋Ｄ）−ｋ（Ｅ−Ｆ）
Ｔｒａｄ＝Ａ＋Ｄ−（Ｂ＋Ｃ）
Ｔｔａｎ＝Ａ＋Ｂ＋Ｃ＋Ｄ−（Ｇ＋Ｈ）
なる演算に基づき生成することを特徴とする光ピックアップ装置。
【請求項７】
請求項１記載の光ピックアップ装置において、前記光記録媒体からの反射光を前記受光素子へ導く回折素子の分割パターンが、前記光記録媒体の接線方向に２分割された２つの領域のうちの一方の領域において前記干渉領域と、前記反射光の中央部を前記受光素子へ導く領域とをそれぞれ前記光記録媒体の半径方向に２分割したパターンであって、これらの各分割部分からの受光信号を前記半径方向内側から順にそれぞれＡ、Ｂ、Ｃ、Ｄとし、前記２つの領域のもう一方の領域の前記干渉領域を前記接線方向にそれぞれ２分割した領域からの受光信号を前記半径方向内側から前記光記録媒体の回転方向順にＥ、Ｆ、Ｇ、Ｈとし、前記もう一方の領域の中央部から回折された光を検出する２分割分離された受光素子からの信号をＩ１、Ｉ２とすると、フォーカス誤差信号Ｆｏ、トラック誤差信号Ｔｒ、ラジアルチルト信号Ｔｒａｄ、タンジェンシャルチルト信号Ｔｔａｎは、ｋを前記光記録媒体によって決まる定数とする時、
Ｆｏ＝Ｉ１−Ｉ２
Ｔｒ＝Ａ−Ｄ−ｋ（Ｂ−Ｃ）
Ｔｒａｄ＝Ｅ＋Ｈ−（Ｆ＋Ｇ）
Ｔｔａｎ＝Ａ＋Ｂ−（Ｅ＋Ｆ＋Ｇ＋Ｈ）
なる演算に基づき生成することを特徴とする光ピックアップ装置。
【請求項８】
請求項１記載の光ピックアップ装置において、前記光記録媒体からの反射光を前記受光素子へ導く回折素子の分割パターンが、前記光記録媒体の接線方向に２分割した２つの領域のうちの一方の領域において前記干渉領域を前記接線方向にそれぞれ２分割し、前記反射光の中央部を前記受光素子へ導く領域を前記光記録媒体の半径方向に２分割したパターンであり、この回折素子の各分割パターンからの受光信号を前記半径方向内側から前記光記録媒体の回転方向順にそれぞれＡ、Ｂ、Ｅ、Ｆ、Ｃ、Ｄとし、前記２つの領域のうちのもう一方の領域から回折された光を検出する２分割分離された受光素子からの信号をＧ１、Ｇ２とすると、フォーカス誤差信号Ｆｏ、トラック誤差信号Ｔｒ、ラジアルチルト信号Ｔｒａｄ、タンジェンシャルチルト信号Ｔｔａｎは、ｋを前記光記録媒体によって決まる定数とする時、
Ｆｏ＝Ｇ１−Ｇ２
Ｔｒ＝Ａ＋Ｂ−（Ｃ＋Ｄ）−ｋ（Ｅ−Ｆ）
Ｔｒａｄ＝Ａ＋Ｄ−（Ｂ＋Ｃ）
Ｔｔａｎ＝Ａ＋Ｂ＋Ｃ＋Ｄ＋Ｅ＋Ｆ−Ｇ
なる演算に基づき生成することを特徴とする光ピックアップ装置。
【請求項９】
請求項１記載の光ピックアップ装置において、前記光記録媒体からの反射光を前記受光素子へ導く回折素子の分割パターンが、前記干渉領域を中央部と両端部にそれぞれ３分割されたパターンであって、これらのパターンからの受光信号を前記光記録媒体の半径方向内側から前記光記録媒体の回転方向順にそれぞれＡ、Ｂ、Ｃ、Ｄ、Ｅ、Ｆとし、さらに前記分割パターンは前記反射光の中央部を前記受光素子へ導く領域を前記半径方向に２分割したパターンであって、その一方からの受光信号をＨとし、もう一方の領域から回折された光を検出する２分割分離された受光素子からの信号をＧ１、Ｇ２とすると、フォーカス誤差信号Ｆｏ、トラック誤差信号Ｔｒ、ラジアルチルト信号Ｔｒａｄ、タンジェンシャルチルト信号Ｔｔａｎは、ｋを前記光記録媒体によって決まる定数とする時、
Ｆｏ＝Ｇ１−Ｇ２
Ｔｒ＝Ａ＋Ｂ＋Ｃ−（Ｄ＋Ｅ＋Ｆ）−ｋ（Ｇ−Ｈ）
Ｔｒａｄ＝Ａ＋Ｃ＋Ｅ−（Ｂ＋Ｄ＋Ｆ）
Ｔｔａｎ＝Ａ＋Ｄ−（Ｃ＋Ｆ）
なる演算に基づき生成することを特徴とする光ピックアップ装置。
【請求項１０】
光記録媒体の記録面に光ビームを照射して情報の再生、記録あるいは消去を行う光情報処理装置において、請求項１〜９のいずれか１つに記載の光ピックアップ装置を有することを特徴とする光情報処理装置。
【発明の詳細な説明】
【０００１】
【発明の属する技術分野】
本発明は光ピックアップ装置及び光情報処理装置に関する。
【０００２】
【従来の技術】
ＤＶＤ（Ｄｉｇｉｔａｌ  Ｖｉｄｅｏ  又はＶｅｒｓａｔｉｌｅ  Ｄｉｓｋ  ）などの光記録媒体における記録密度の高密度化に伴い、光ピックアップ装置の精度の向上が求められている。その一方、光ピックアップ装置の小型化、低コスト化の要求も強い。
光記録媒体の記録密度は光記録媒体上に形成される光スポットの径の２乗に反比例するため、光スポット径を小さくするほど光記録媒体の記録密度が高くなる。
【０００３】
光スポット径を小さくする手段としては、対物レンズの開口数（ＮＡ）の増加、或いは光源波長の短波長化が挙げられる。しかしながら、対物レンズのＮＡが増加し、光源波長が短波長化されるほど、光記録媒体のチルトにより発生するコマ収差が大きくなるという問題がある。このようなコマ収差による光スポットの劣化を防ぐために、光記録媒体のチルト量を高精度に検出する必要が出てきた。
【０００４】
ＤＶＤ世代では、図１４に示すようなチルト検出手段を用いている。このチルト検出手段は、光ピックアップ装置３１に取り付けられ、チルトセンサ３２と、差動アンプ３３とを備えている。チルトセンサ３２は、発光源３４と、受光素子３５ａ，３５ｂとを備えている。発光源３４から光記録媒体３０に光が照射され、その反射光が受光素子３５ａ，３５ｂで受光される。差動アンプ３３は、受光素子３５ａ，３５ｂの出力信号の差を演算して光記録媒体３０のチルト量を求める。
【０００５】
しかし、このようにチルトセンサ３２を光ピックアップ装置３１と別個に設けた場合、光ピックアップ装置３１から光記録媒体３０上に形成される光スポットの位置と光記録媒体３０のチルト検出位置が異なり、検出精度に問題があると共に小型化が困難であるという欠点があった。さらに、定期的に光記録媒体３０のチルト量を検出しているため、リアルタイムの光記録媒体３０のチルト量検出が行えないという問題もあった。
【０００６】
このような課題を解決する手段として、光記録媒体からの反射光の回折パターンから光記録媒体のチルトを検出する方法が知られている。この方法では、光記録媒体からの反射０次光と反射±１次回折光とで形成される干渉領域の光強度が光記録媒体のチルトによって変化することを利用し、より高精度にリアルタイムに光記録媒体のチルトを検出する。
【０００７】
例えば、特許文献１記載のチルト量検出方法においては、図１５に示すように光記録媒体からの反射光を受光する受光素子２１は、光記録媒体の半径方向（ラジアル方向）に沿って２分割し、さらに光記録媒体上のトラックの接線方向（タンジェンシャル）に沿って３分割し、この受光素子２１の各分割部分からの受光信号をタンジェンシャル方向に沿って順に（Ｌ１，Ｒ１）、（Ｌ２，Ｒ２）、（Ｌ３，Ｒ３）とした時、ラジアルチルト信号Ｓは、加算器２２、減算器２３、２４を有するチルト信号生成部２５により、
Ｓ＝Ｌ１−Ｌ２＋Ｌ３またはＳ＝Ｒ１−Ｒ２＋Ｒ３
で表される演算、または、
Ｓ＝（Ｌ１−Ｌ２＋Ｌ３）−（Ｒ１−Ｒ２＋Ｒ３）
で表される演算で検出する。
【０００８】
特許文献２記載の光ヘッド装置では、図１６に示すように、光記録媒体から反射された回折光を受光素子へ導くホログラム光学素子４１は、図１６に点線で示す対物レンズの有効径を含み、光記録媒体の接線方向に平行な３本の分割線および光記録媒体の半径方向に平行な１本の分割線で８つの領域４２〜４９に分割し、これらの領域からの受光信号を信号処理回路で処理してタンジェンシャルチルト信号、フォーカス誤差信号、トラック信号を検出している。
【０００９】
特許文献３記載の光ピックアップ装置では、図１７に示すように、光記録媒体からの反射光を受光する受光素子９は、光記録媒体の半径方向に２分割し、光記録媒体上のトラックの接線方向に３分割して６つの領域９Ａ１〜９Ａ３、９Ｂ１〜９Ｂ３に分割し、この各領域９Ａ１〜９Ａ３、９Ｂ１〜９Ｂ３からの受光信号Ａ１〜Ａ３、Ｂ１〜Ｂ３を加算器１０、１１、除算器１２、１３及び減算器１４を有する演算手段３で演算して光記録媒体のラジアル方向、タンジェンシャル方向いずれかのチルトを検出している。
【００１０】
さらに、特許文献３記載の光ピックアップ装置では、図１８に示すように、光記録媒体からの反射光を受光する基盤目状の１６分割の受光素子１５の各領域からの受光信号を演算手段で演算して光記録媒体のラジアル方向、タンジェンシャル方向両方のチルトを検出している。
【００１１】
【特許文献１】
特開２００２−５６５５６
【特許文献２】
特開２００１−２９７４５９
【特許文献３】
特開２００１−２７３６６０
【００１２】
【発明が解決しようとする課題】
上述の従来技術では、光記録媒体のチルト量をリアルタイムで高精度に検出している。しかしながら、特許文献１、特許文献２記載のものは、ラジアルチルト信号、タンジェンシャル信号のどちらかしか検出できない。特許文献３記載のものは、受光素子を１６分割する場合、ラジアル方向、タンジェンシャル方向の両方のチルトを検出できるが、受光素子の１６個に及ぶ出力信号を演算することは演算手段の煩雑化、応答性の低下などの問題が生じる。
【００１３】
一方、チルト検出と同時にトラック誤差信号、フォーカス誤差信号を検出する必要があり、特に、トラック誤差信号についてはオフセットを補正しなければならない。トラック誤差信号のオフセットの主な原因としてあげられるのが、光軸ずれである。この光軸ずれが生じると、トラック誤差信号がゼロを表示しても、光記録媒体に照射される光ビームは光記録媒体上のトラックの中心にいないという問題が生じる。つまり、光ビームがトラックの中心にいる時にトッラク誤差信号にオフセットが発生するわけである。
【００１４】
このトッラク誤差信号のオフセット補正及び光記録媒体のチルト検出と、フォーカス誤差信号検出、トッラク誤差信号検出を別々の光学系、手段で行うと、サイズアップ、コストアップ、組み付け工数アップが生じてしまう。
これまで光軸ずれ等によるトラック誤差信号のオフセットを補正する手段としては、３ビーム法が用いられている。しかし、光源波長の短波長化に伴い、光学系の透過率減少、受光素子感度の低下から、従来に比べてより光量ロスが大きくなる。したがって、レーザ光を３つに分割することによりレーザ光使用効率が悪くなってしまう３ビーム法よりも１ビーム法が好まれる。さらに、３ビーム法は、回折格子や３ビームを個々に検出する受光素子が必要となるので、構造が複雑になり、部品数が多くなるという欠点がある。
したがって、レーザ光の使用効率を高め、小型化、低コスト化を実現するには、１ビームでトラック誤差信号のオフセットを低減する方法によりトラック誤差信号を検出する必要がある。
【００１５】
本発明は、対物レンズの高ＮＡ化、光源波長の短波長化に伴って求められる、高精度なラジアルチルト信号検出、高精度なタンジェンシャルチルト信号検出を行うことができ、部品点数を増やすことなく、レーザ光使用効率の良いオフセット補正がなされたトラック誤差信号を検出でき、さらに、受光素子セグメント数の減少を図ることができて小型化、低コスト化を実現することができる光ピックアップ装置及び光情報処理装置を提供することを目的とする。
【００１６】
【課題を解決するための手段】
上記目的を達成するため、請求項１に係る発明は、光記録媒体の記録面に光ビームを照射して情報の再生、記録、消去の１つ以上を行う光ピックアップ装置において、前記光記録媒体から反射された回折光を受光し、０次回折光と±１次回折光との重なる領域である干渉領域の光強度に基づいて、前記光記録媒体のラジアル方向チルト量とタンジェンシャル方向チルト量を表すチルト信号を独立に生成する手段と、前記干渉領域部分の光強度と、０次回折光と±１次回折光とが重ならない無干渉領域部分の光強度との差分からトラック誤差信号を生成する手段とを備えたものである。
【００１７】
請求項２に係る発明は、請求項１記載の光ピックアップ装置において、前記受光素子の分割パターンが、前記干渉領域を前記光記録媒体の接線方向にそれぞれ４分割し、さらに前記反射光の中央部を受光する領域を前記光記録媒体の接線方向、半径方向にそれぞれ２分割したパターンであり、前記受光素子の各分割部分の受光信号を前記光記録媒体の半径方向内側から前記光記録媒体の回転方向順にそれぞれＡ、Ｂ、Ｇ、Ｈ、Ｅ、Ｋ、Ｆ、Ｍ、Ｃ、Ｄ、Ｉ、Ｊとすると、フォーカス誤差信号Ｆｏ、トラック誤差信号Ｔｒ、ラジアルチルト信号Ｔｒａｄ、タンジェンシャルチルト信号Ｔｔａｎは、ｋを前記光記録媒体によって決まる定数とする時、
Ｆｏ＝Ａ＋Ｂ＋Ｅ＋Ｉ＋Ｊ＋Ｍ−（Ｃ＋Ｄ＋Ｆ＋Ｇ＋Ｈ＋Ｋ）
Ｔｒ＝Ａ＋Ｂ＋Ｇ＋Ｈ−（Ｃ＋Ｄ＋Ｉ＋Ｊ）−ｋ｛（Ｅ＋Ｋ）−（Ｆ＋Ｍ）｝
Ｔｒａｄ＝Ａ＋Ｄ＋Ｉ＋Ｈ−（Ｂ＋Ｇ＋Ｃ＋Ｊ）
Ｔｔａｎ＝Ａ＋Ｂ＋Ｃ＋Ｄ−（Ｇ＋Ｈ＋Ｉ＋Ｊ）
なる演算に基づき生成するものである。
【００１８】
請求項３に係る発明は、請求項１記載の光ピックアップ装置において、前記受光素子の分割パターンが、前記光記録媒体の接線方向に２分割された２つの領域のうちの一方の領域において前記干渉領域を前記接線方向にそれぞれ２分割し、前記反射光の中央部を受光する領域を前記光記録媒体の半径方向に２分割し、前記２つの領域のもう一方の領域において前記干渉領域と前記反射光の中央部を受光する領域とをそれぞれ前記半径方向に２分割したパターンであり、前記受光素子の各分割部分の受光信号を前記半径方向内側から前記光記録媒体の回転方向順にそれぞれＡ、Ｂ、Ｇ、Ｅ、Ｈ、Ｆ、Ｉ、Ｃ、Ｄ、Ｊとすると、フォーカス誤差信号Ｆｏ、トラック誤差信号Ｔｒ、ラジアルチルト信号Ｔｒａｄ、タンジェンシャルチルト信号Ｔｔａｎは、ｋを前記光記録媒体によって決まる定数とする時、
Ｆｏ＝Ａ＋Ｂ＋Ｅ＋Ｉ＋Ｊ−（Ｃ＋Ｄ＋Ｆ＋Ｇ＋Ｈ）
Ｔｒ＝Ａ＋Ｂ＋Ｇ−（Ｃ＋Ｄ＋Ｊ）−ｋ｛Ｅ＋Ｈ−（Ｆ＋Ｉ）｝
Ｔｒａｄ＝Ａ＋Ｄ−（Ｂ＋Ｃ）
Ｔｔａｎ＝Ａ＋Ｂ＋Ｃ＋Ｄ−（Ｇ＋Ｊ）
なる演算に基づき生成するものである。
【００１９】
請求項４に係る発明は、請求項１記載の光ピックアップ装置において、前記受光素子の分割パターンが、前記光記録媒体の接線方向に２分割された２つの領域のうちの一方の領域において前記干渉領域を前記接線方向にそれぞれ２分割し、前記反射光の中央部を受光する領域を前記光記録媒体の半径方向に２分割し、前記２つの領域のもう一方の領域を前記半径方向に２分割したパターンであり、前記受光素子の各分割部分の受光信号を前記半径方向内側から前記光記録媒体の回転方向順にそれぞれＡ、Ｂ、Ｅ、Ｇ、Ｆ、Ｃ、Ｄ、Ｈとすると、フォーカス誤差信号Ｆｏ、トラック誤差信号Ｔｒ、ラジアルチルト信号Ｔｒａｄ、タンジェンシャルチルト信号Ｔｔａｎは、ｋを前記光記録媒体によって決まる定数とする時、
Ｆｏ＝Ａ＋Ｂ＋Ｅ＋Ｈ−（Ｃ＋Ｄ＋Ｆ＋Ｇ）
Ｔｒ＝Ａ＋Ｂ−（Ｃ＋Ｄ）−ｋ（Ｅ−Ｆ）
Ｔｒａｄ＝Ａ＋Ｄ−（Ｂ＋Ｃ）
Ｔｔａｎ＝Ａ＋Ｂ＋Ｅ＋Ｃ＋Ｄ＋Ｆ−（Ｇ＋Ｈ）
なる演算に基づき生成するものである。
【００２０】
請求項５に係る発明は、請求項１記載の光ピックアップ装置において、前記光記録媒体から反射された回折光を前記受光素子へ導く回折素子の分割パターンが、前記干渉領域を前記光記録媒体の接線方向にそれぞれ４分割し、さらに前記反射光の中央部を受光する領域を前記接線方向に分割してその一方の領域を前記光記録媒体の半径方向に２分割したパターンであり、前記回折素子の各分割部分からの受光信号、前記反射光の中央部を受光する領域を前記接線方向に分割した２つの領域のもう一方の領域からの受光信号を除いて、前記半径方向内側から前記光記録媒体の回転方向順にそれぞれＡ、Ｂ、Ｇ、Ｈ、Ｅ、Ｆ、Ｃ、Ｄ、Ｉ、Ｊとし、前記反射光の中央部を受光する領域を前記接線方向に分割した２つの領域のもう一方の領域から回折された光を検出する２分割分離された受光素子からの信号をＫ１、Ｋ２とすると、フォーカス誤差信号Ｆｏ、トラック誤差信号Ｔｒ、ラジアルチルト信号Ｔｒａｄ、タンジェンシャルチルト信号Ｔｔａｎは、ｋを前記光記録媒体によって決まる定数とする時、
Ｆｏ＝Ｋ１−Ｋ２
Ｔｒ＝Ａ＋Ｂ−（Ｃ＋Ｄ）−ｋ（Ｅ−Ｆ）
Ｔｒａｄ＝Ａ＋Ｄ＋Ｉ＋Ｈ−（Ｂ＋Ｇ＋Ｃ＋Ｊ）
Ｔｔａｎ＝Ａ＋Ｂ＋Ｃ＋Ｄ−（Ｇ＋Ｈ＋Ｉ＋Ｊ）なる演算に基づき生成するものである。
【００２１】
請求項６に係る発明は、請求項１記載の光ピックアップ装置において、前記光記録媒体から反射された回折光を前記受光素子へ導く回折素子の分割パターンが、前記光記録媒体の接線方向に２分割された２つの領域のうちの一方の領域において前記干渉領域を前記接線方向にそれぞれ２分割し、前記反射光の中央部を前記受光素子へ導く領域を前記光記録媒体の半径方向に２分割したパターンであり、前記一方の領域の各分割部分からの受光信号を前記半径方向内側から前記光記録媒体の回転方向順にそれぞれＡ、Ｂ、Ｅ、Ｆ、Ｃ、Ｄとし、前記２つの領域のうちのもう一方の領域の前記干渉領域からの受光信号をＧ，Ｈ、前記もう一方の領域の中央部から回折された光を検出する２分割分離された受光素子からの信号をＩ１、Ｉ２とすると、フォーカス誤差信号Ｆｏ、トラック誤差信号Ｔｒ、ラジアルチルト信号Ｔｒａｄ、タンジェンシャルチルト信号Ｔｔａｎは、ｋを前記光記録媒体によって決まる定数とする時、
Ｆｏ＝Ｉ１−Ｉ２
Ｔｒ＝Ａ＋Ｂ−（Ｃ＋Ｄ）−ｋ（Ｅ−Ｆ）
Ｔｒａｄ＝Ａ＋Ｄ−（Ｂ＋Ｃ）
Ｔｔａｎ＝Ａ＋Ｂ＋Ｃ＋Ｄ−（Ｇ＋Ｈ）
なる演算に基づき生成するものである。
【００２２】
請求項７に係る発明は、請求項１記載の光ピックアップ装置において、前記光記録媒体からの反射光を前記受光素子へ導く回折素子の分割パターンが、前記光記録媒体の接線方向に２分割された２つの領域のうちの一方の領域において前記干渉領域と、前記反射光の中央部を前記受光素子へ導く領域とをそれぞれ前記光記録媒体の半径方向に２分割したパターンであって、これらの各分割部分からの受光信号を前記半径方向内側から順にそれぞれＡ、Ｂ、Ｃ、Ｄとし、前記２つの領域のもう一方の領域の前記干渉領域を前記接線方向にそれぞれ２分割した領域からの受光信号を前記半径方向内側から前記光記録媒体の回転方向順にＥ、Ｆ、Ｇ、Ｈとし、前記もう一方の領域の中央部から回折された光を検出する２分割分離された受光素子からの信号をＩ１、Ｉ２とすると、フォーカス誤差信号Ｆｏ、トラック誤差信号Ｔｒ、ラジアルチルト信号Ｔｒａｄ、タンジェンシャルチルト信号Ｔｔａｎは、ｋを前記光記録媒体によって決まる定数とする時、
Ｆｏ＝Ｉ１−Ｉ２
Ｔｒ＝Ａ−Ｄ−ｋ（Ｂ−Ｃ）
Ｔｒａｄ＝Ｅ＋Ｈ−（Ｆ＋Ｇ）
Ｔｔａｎ＝Ａ＋Ｂ−（Ｅ＋Ｆ＋Ｇ＋Ｈ）
なる演算に基づき生成するものである。
【００２３】
請求項８に係る発明は、請求項１記載の光ピックアップ装置において、前記光記録媒体からの反射光を前記受光素子へ導く回折素子の分割パターンが、前記光記録媒体の接線方向に２分割した２つの領域のうちの一方の領域において前記干渉領域を前記接線方向にそれぞれ２分割し、前記反射光の中央部を前記受光素子へ導く領域を前記光記録媒体の半径方向に２分割したパターンであり、この回折素子の各分割パターンからの受光信号を前記半径方向内側から前記光記録媒体の回転方向順にそれぞれＡ、Ｂ、Ｅ、Ｆ、Ｃ、Ｄとし、前記２つの領域のうちのもう一方の領域から回折された光を検出する２分割分離された受光素子からの信号をＧ１、Ｇ２とすると、フォーカス誤差信号Ｆｏ、トラック誤差信号Ｔｒ、ラジアルチルト信号Ｔｒａｄ、タンジェンシャルチルト信号Ｔｔａｎは、ｋを前記光記録媒体によって決まる定数とする時、
Ｆｏ＝Ｇ１−Ｇ２
Ｔｒ＝Ａ＋Ｂ−（Ｃ＋Ｄ）−ｋ（Ｅ−Ｆ）
Ｔｒａｄ＝Ａ＋Ｄ−（Ｂ＋Ｃ）
Ｔｔａｎ＝Ａ＋Ｂ＋Ｃ＋Ｄ＋Ｅ＋Ｆ−Ｇ
なる演算に基づき生成するものである。
【００２４】
請求項９に係る発明は、請求項１記載の光ピックアップ装置において、前記光記録媒体からの反射光を前記受光素子へ導く回折素子の分割パターンが、前記干渉領域を中央部と両端部にそれぞれ３分割されたパターンであって、これらのパターンからの受光信号を前記光記録媒体の半径方向内側から前記光記録媒体の回転方向順にそれぞれＡ、Ｂ、Ｃ、Ｄ、Ｅ、Ｆとし、さらに前記分割パターンは前記反射光の中央部を前記受光素子へ導く領域を前記半径方向に２分割したパターンであって、その一方からの受光信号をＨとし、もう一方の領域から回折された光を検出する２分割分離された受光素子からの信号をＧ１、Ｇ２とすると、フォーカス誤差信号Ｆｏ、トラック誤差信号Ｔｒ、ラジアルチルト信号Ｔｒａｄ、タンジェンシャルチルト信号Ｔｔａｎは、ｋを前記光記録媒体によって決まる定数とする時、
Ｆｏ＝Ｇ１−Ｇ２
Ｔｒ＝Ａ＋Ｂ＋Ｃ−（Ｄ＋Ｅ＋Ｆ）−ｋ（Ｇ−Ｈ）
Ｔｒａｄ＝Ａ＋Ｃ＋Ｅ−（Ｂ＋Ｄ＋Ｆ）
Ｔｔａｎ＝Ａ＋Ｄ−（Ｃ＋Ｆ）
なる演算に基づき生成するものである。
【００２５】
請求項１０に係る発明は、光記録媒体の記録面に光ビームを照射して情報の再生、記録あるいは消去を行う光情報処理装置において、請求項１〜９のいずれか１つに記載の光ピックアップ装置を有するものである。
【００２６】
【発明の実施の形態】
図１は、光記録媒体の記録面に光ビームを照射して情報の再生、記録、消去の少なくとも１つを行う光ピックアップ装置である本発明の第１実施形態の構成を示す。この第１実施形態の光ピックアップ装置は、光源としての半導体レーザ１０１、コリメートレンズ１０２、偏光ビームスプリッタ１０３、プリズム１０４、１／４波長板１０５、対物レンズ１０６、検出レンズ１０８、円筒レンズ１０９、受光素子１１０などを有する。
【００２７】
第１実施形態の光ピックアップ装置は光記録媒体上１０７の半径方向にシーク移動自在に設けられ、光記録媒体上１０７が図示しない回転機構により回転駆動される。半導体レーザ１０１の直線偏光の出射光は、コリメートレンズ１０２により略平行光にされて偏光ビームスプリッタ１０３を透過し、プリズム１０４で光路が９０度偏向され、１／４波長板１０５を透過して円偏光とされ、対物レンズ１０６に入射して、光記録媒体上１０７に微小な光スポットとして集光される。この光スポットにより、光記録媒体上１０７に対する情報の再生、記録あるいは消去が行われる。
【００２８】
光記録媒体１０７からの反射光は、対物レンズ１０６に入射して、往路とは反対回りの円偏光となり、再び略平行光とされ、１／４波長板１０５を通過して、往路と直交した直線偏光となり、プリズム１０４で光路が９０度偏向され、偏光ビームスプリッタ１０３で反射され、集光レンズ１０８、円筒レンズ１０９で集光され、受光素子１１０に至る。
【００２９】
光記録媒体１０７に照射された光ビームは、図２に示すように案内溝１０７ａを有する光記録媒体１０７のデータ記録領域において回折され、０次回折光、＋１次回折光、−１次回折光に分かれる。これらの回折光は、光路中で、それらの一部が重なり合い、干渉領域が形成される。すなわち、０次回折光と＋１次回折光との干渉領域と、０次回折光と−１次回折光との干渉領域が生じる。
【００３０】
受光素子１１０は、図３に示すように、反射０次光と反射±１次回折光とで形成される干渉領域に相当する光記録媒体１０７半径方向の両端部が光記録媒体１０７上のトラックの接線方向にそれぞれ４分割され、さらに反射光の中央部を受光する部分が光記録媒体１０７の接線方向、半径方向にそれぞれ２分割されている。この受光素子１１０は、光記録媒体１０７接線方向に４分割されている２つの領域のうち、光記録媒体１０７の半径方向内側の４つの領域を光記録媒体１０７の回転方向順に領域１１０Ａ，１１０Ｂ，１１０Ｇ，１１０Ｈとし、光記録媒体１０７半径方向外側の４つの領域を光記録媒体１０７の回転方向順に領域１１０Ｃ，１１０Ｄ，１１０Ｉ，１１０Ｊとする。
これらの領域１１０Ａ，１１０Ｂ，１１０Ｇ，１１０Ｈ，１１０Ｃ，１１０Ｄ，１１０Ｉ，１１０Ｊから出力される光量信号はＡ，Ｂ，Ｇ，Ｈ，Ｃ，Ｄ，Ｉ，Ｊとする。受光素子１１０の光記録媒体１０７半径方向中央部の４領域は光記録媒体１０７の半径方向内側から光記録媒体１０７回転方向順にそれぞれ，１１０Ｅ，１１０Ｋ，１１０Ｆ，１１０Ｍとする。そして、領域１１０Ｅ，１１０Ｋ，１１０Ｆ，１１０Ｍから出力される光量信号はＥ，Ｋ，Ｆ，Ｍとする。なお、図３等の丸は、対物レンズの有効径を示す。
【００３１】
受光素子１１０からの光量信号Ａ〜Ｍを演算する演算手段は、加算手段、減算手段、乗算手段から構成される。受光素子１１０の各領域１１０Ａ〜１１０Ｍから出力された光量信号Ａ〜Ｍは、演算手段に入力されて演算される。この演算手段は、演算結果として、フォーカス誤差信号Ｆｏ、トラック誤差信号Ｔｒ、ラジアルチルト信号Ｔｒａｄ、タンジェンシャルチルト信号Ｔｔａｎを出力する。この演算手段の演算を式で表すと、
Ｆｏ＝Ａ＋Ｂ＋Ｅ＋Ｉ＋Ｊ＋Ｍ−（Ｃ＋Ｄ＋Ｆ＋Ｇ＋Ｈ＋Ｋ）
Ｔｒ＝Ａ＋Ｂ＋Ｇ＋Ｈ−（Ｃ＋Ｄ＋Ｉ＋Ｊ）−ｋ｛（Ｅ＋Ｋ）−（Ｆ＋Ｍ）｝
Ｔｒａｄ＝Ａ＋Ｄ＋Ｉ＋Ｈ−（Ｂ＋Ｇ＋Ｃ＋Ｊ）
Ｔｔａｎ＝Ａ＋Ｂ＋Ｃ＋Ｄ−（Ｇ＋Ｈ＋Ｉ＋Ｊ）
となる。但し、ｋは光ピックアップ装置の光学系及び光記録媒体によって決まる一定値である。
【００３２】
本実施形態のフォーカス誤差信号Ｆｏは非点収差法を用いて検出している。円筒レンズ１０９は、単一方向のみレンズとして働き、それと直交方向には平行平板と同じでレンズ作用を持たない。したがって、円筒レンズ１０９は、それぞれの方向で焦点距離が異なっているので、非点収差が発生する。円筒レンズ１０９のレンズ作用を持たない断面における焦点位置は検出レンズ１０８から円筒レンズ１０９へ入る前の収束ビームの焦点位置とほぼ同じになるが、円筒レンズ１０９のレンズ作用を持つ断面における焦点位置は検出レンズ１０８と円筒レンズ１０９からなる合成レンズの焦点位置になる。したがって、この異なる焦点位置の間のビーム形状は、楕円から円、そして楕円と連続的に変化する。ただし、円をはさんだ楕円の形状は縦長と横長というように、お互い直交した像の方向を持っている。
【００３３】
受光素子１１０は、このビーム形状が円形となるような位置に設置してある。合焦点時は、ビーム形状が円形となるため、フォーカス誤差信号Ｆｏ＝０となる。焦点が近すぎたり、遠すぎたりすると、ビーム形状が楕円となるため、フォーカス誤差信号Ｆｏは正または負の値を持つことになり、フォーカス誤差信号が検出できる。
【００３４】
本実施形態のチルト信号Ｔは、０次回折光と＋１次回折光との干渉領域と、０次回折光と−１次回折光との干渉領域の光の強度に基づいて検出している。この干渉領域が、光記録媒体１０７のチルトに伴い（チルト角度に応じて）どのように変化しているかを図１９〜２１に示す。図１９は、光記録媒体１０７がラジアル方向に傾いた時の干渉領域の光強度の変化を示している。光記録媒体１０７のチルト量が増えていくと、０次回折光と＋１次回折光との干渉領域と、０次回折光と−１次回折光との干渉領域の光量に偏りが生じる。これは、光記録媒体１０７の傾きにより、光記録媒体１０７上に投影される光スポットにコマ収差が発生するためである。
【００３５】
同様に、図２０は、光記録媒体１０７がタンジェンシャル方向に傾いた時の干渉領域の光量の変化を示している。また、図２１は、光記録媒体１０７がラジアル方向とタンジェンシャル方向に同時に同量傾いた時の干渉領域の光量の変化を示している。
この光量分布に基づき、上記した演算方法を用いて、光記録媒体１０７のタンジェンシャル方向のチルト量を示すタンジェンシャル信号Ｔｔａｎと、光記録媒体１０７のラジアル方向のチルト量を示すラジアルチルト信号Ｔｒａｄを独立に検出できる。このチルト検出は、ラジアル方向、タンジェンシャル方向の両方向のクロストークがなく、対物レンズ１０６のシフトの影響も受けない。
【００３６】
本実施形態のトラック誤差信号は、プッシュプル法を用いて検出している。プッシュプル法とは、０次回折光と＋１次回折光との干渉領域と、０次回折光と−１次回折光との干渉領域の光強度差から検出する方法である。光記録媒体１０７上の光スポットと案内溝１０７ａまたは、光スポットと案内溝１０７ａと案内溝１０７ａの中心が一致している場合は左右対称な反射回折光分布が得られ、それ以外つまりトラックずれがある場合は反射回折光分布に左右で光強度差が生じ、プッシュプル信号＝Ａ＋Ｂ＋Ｇ＋Ｈ−（Ｃ＋Ｄ＋Ｉ＋Ｊ）が正か負の値を持つ。
【００３７】
しかしながら、対物レンズ１０６の光軸ずれなどにより、トッラク誤差信号にはオフセットが生じる。このオフセットを補正するためによく用いられている方法は、差動プッシュプル法に代表されるような３ビーム方法である。しかし、３ビーム法は、レーザ光使用効率が悪くなるだけでなく、回折格子や３ビームを個々に検出する受光素子が必要となるので、構造が複雑になり、部品数が多くなるという短所がある。本実施形態では１ビームで光軸ずれの影響を受けないプッシュプル法を用いている。
【００３８】
この方法は、対物レンズ１０６の光軸ずれなどによるレンズシフトが生じた場合、干渉領域から得られるプッシュプル信号＝Ａ＋Ｂ＋Ｇ＋Ｈ−（Ｃ＋Ｄ＋Ｉ＋Ｊ）のオフセット成分が、無干渉領域から得られる信号｛（Ｅ＋Ｋ）−（Ｆ＋Ｍ）｝の１／ｋに相当することを利用している。これらの差をとることによりオフセットが補正されたトッラク誤差信号Ｔｒを検出する。ただし、ｋは光ピックアップ装置の光学系及び光記録媒体１０７によって一意的に決まる値である。
【００３９】
この第１実施形態によれば、光記録媒体１０７から反射された回折光を受光し、０次回折光と±１次回折光との重なる領域である干渉領域の光強度に基づいて、光記録媒体１０７のラジアル方向チルト量とタンジェンシャル方向チルト量を表すチルト信号を独立に生成する手段と、前記干渉領域部分の光強度と、０次回折光と±１次回折光とが重ならない無干渉領域部分の光強度との差分からトラック誤差信号を生成する手段とを備えたので、対物レンズの高ＮＡ化、光源波長の短波長化に伴って求められる、高精度なラジアルチルト信号検出、高精度なタンジェンシャルチルト信号検出を行うことができ、部品点数を増やすことなく、レーザ光使用効率の良いオフセット補正がなされたトラック誤差信号を検出できる。
【００４０】
次に、本発明の第２実施形態について説明する。
この第２実施形態の光ピックアップ装置は、上記第１実施形態の光ピックアップにおいて、上記受光素子１１０とは異なる領域を持つ図４に示すような受光素子１１１を有し、受光手段以外は上記第１実施形態と同様である。
【００４１】
受光素子１１１において、図４に示すように、光記録媒体１０７の接線方向に２分割された２つの領域のうちの一方の領域は、反射０次光と反射±１次回折光とで形成される干渉領域に相当する光記録媒体１０７半径方向の両端部が光記録媒体１０７の接線方向に２分割され、さらに反射光の中央部を受光する領域が光記録媒体１０７の半径方向に２分割されている。
【００４２】
受光素子１１１の該一方の領域の各分割領域は光記録媒体１０７の半径方向内側から光記録媒体１０７の回転方向順にそれぞれ１１１Ａ，１１１Ｂ，１１１Ｅ，１１１Ｆ，１１１Ｃ，１１１Ｄとする。そして、各領域１１１Ａ，１１１Ｂ，１１１Ｅ，１１１Ｆ，１１１Ｃ，１１１Ｄから出力される光量信号をＡ，Ｂ，Ｅ，Ｆ，Ｃ，Ｄとする。受光素子１１１において、光記録媒体１０７の接線方向に２分割された２つの領域のうちのもう一方の領域は、反射０次光と反射±１次回折光とで形成される干渉領域に相当する光記録媒体１０７半径方向の両端部と中央部がそれぞれ光記録媒体１０７の半径方向に２分割されている領域からなり、光記録媒体１０７の半径方向内側から領域１１１Ｇ，１１１Ｈ，１１１Ｉ，１１１Ｊとする。そして、各領域１１１Ｇ，１１１Ｈ，１１１Ｉ，１１１Ｊから出力される光量信号はＧ，Ｈ，Ｉ，Ｊとする。
【００４３】
受光素子１１１の各分割領域からの光量信号Ａ〜Ｊを演算する演算手段は、加算手段、減算手段、乗算手段から構成される。受光素子１１１の各領域から出力された光量信号Ａ〜Ｊは、演算手段に入力され、演算される。この演算手段は、演算結果として、フォーカス誤差信号Ｆｏ、トラック誤差信号Ｔｒ、ラジアルチルト信号Ｔｒａｄ、タンジェンシャルチルト信号Ｔｔａｎを出力する。この演算手段の演算を式で表すと、
Ｆｏ＝Ａ＋Ｂ＋Ｅ＋Ｉ＋Ｊ−（Ｃ＋Ｄ＋Ｆ＋Ｇ＋Ｈ）
Ｔｒ＝Ａ＋Ｂ＋Ｇ−（Ｃ＋Ｄ＋Ｊ）−ｋ｛Ｅ＋Ｈ−（Ｆ＋Ｉ）｝
Ｔｒａｄ＝Ａ＋Ｄ−（Ｂ＋Ｃ）
Ｔｔａｎ＝Ａ＋Ｂ＋Ｃ＋Ｄ−（Ｇ＋Ｊ）
となる。但し、ｋは光ピックアップ装置の光学系及び光記録媒体１０７によって決まる一定値である。この演算方法を用いると、第１実施形態と同様に、ラジアル方向、タンジェンシャル方向両方向のチルト信号を高感度に検出でき、対物レンズシフトの影響も受けない。さらに、トラック誤差信号においてもレンズシフトの影響を受けず、部品点数を増やすことなく、レーザ光使用効率の良いオフセット補正がなされたトラック誤差信号を検出できる。さらに、第１実施形態に比べて、受光素子セグメント数が少なく、小型化、低コスト化を実現することができる。
【００４４】
また、受光素子１１１の代わりに図５に示すように分割した受光素子１１２を用いれば、さらに受光素子のセグメント数を低減することができる。この場合、受光素子１１２においては、図５に示すように、光記録媒体１０７の接線方向に２分割された２つの領域のうちの一方の領域は、反射０次光と反射±１次回折光とで形成される干渉領域に相当する光記録媒体１０７半径方向の両端部が光記録媒体１０７の接線方向に２分割され、さらに反射光の中央部を受光する領域が光記録媒体１０７の半径方向に２分割されている。
【００４５】
受光素子１１２の該一方の領域の各分割領域は光記録媒体１０７の半径方向内側から光記録媒体１０７の回転方向順にそれぞれ１１２Ａ，１１２Ｂ，１１２Ｅ，１１２Ｆ，１１２Ｃ，１１２Ｄとする。そして、各領域１１２Ａ，１１２Ｂ，１１２Ｅ，１１２Ｆ，１１２Ｃ，１１２Ｄから出力される光量信号をＡ，Ｂ，Ｅ，Ｆ，Ｃ，Ｄとする。受光素子１１２において、光記録媒体１０７の接線方向に２分割された２つの領域のうちのもう一方の領域は、光記録媒体１０７の半径方向に２分割されている領域からなり、光記録媒体１０７の半径方向内側から領域１１２Ｇ，１１２Ｈとする。そして、各領域１１２Ｇ，１１２Ｈから出力される光量信号はＧ，Ｈとする。
【００４６】
受光素子１１２の各分割領域からの光量信号Ａ〜Ｈを演算する演算手段は、フォーカス誤差信号Ｆｏ、トラック誤差信号Ｔｒ、ラジアルチルト信号Ｔｒａｄ、タンジェンシャルチルト信号Ｔｔａｎを
Ｆｏ＝Ａ＋Ｂ＋Ｅ＋Ｈ−（Ｃ＋Ｄ＋Ｆ＋Ｇ）
Ｔｒ＝Ａ＋Ｂ−（Ｃ＋Ｄ）−ｋ（Ｅ−Ｆ）
Ｔｒａｄ＝Ａ＋Ｄ−（Ｂ＋Ｃ）
Ｔｔａｎ＝Ａ＋Ｂ＋Ｅ＋Ｃ＋Ｄ＋Ｆ−（Ｇ＋Ｈ）
なる演算で算出する。
【００４７】
次に、本発明の第３実施形態について説明する。
この第３実施形態は、光記録媒体の記録面に光ビームを照射して情報の再生、記録、消去の少なくとも１つを行う光ピックアップ装置であり、その構成を図６に示す。この第３実施形態において、図１に示す第１実施形態の光ピックアップ装置と異なる点は、円筒レンズ１０９に代えて同位置にホログラム光学素子１１３を配置し、受光素子１１０の代わりに受光素子１１４を配置した点である。受光素子１１４は受光素子１１０と異なる受光領域を有する。
【００４８】
図７はホログラム光学素子１１３及び受光素子１１４の詳細な構成を示し、図８はホログラム光学素子１１３の平面図である。ホログラム光学素子１１３は、入射面に回折格子が形成された構成であり、その回折格子は図中点線の円で示す対物レンズの有効径を含み、１１分割されている。すなわち、回折格子は、反射０次光と反射±１次回折光とで形成される干渉領域に相当する光記録媒体１０７半径方向の両端部が光記録媒体１０７の接線方向にそれぞれ４分割され、さらに反射光の中央部が入射する領域が光記録媒体１０７の接線方向に２分割され、そのうち一方の領域が光記録媒体１０７の半径方向に２分割されている。上記回折格子の断面形状はいずれにおいても鋸歯状であり、鋸歯の上部と下部の位相差を２πとすると、回折格子の各領域の入射光は＋１次回折光としてそれぞれほぼ１００％で回折される。上記鋸歯の向きは受光素子１１４上の対応する受光部分に集光されるように設定されている。受光素子１１４はホログラム光学素子１１３の各領域に対応して分割されている。
【００４９】
ホログラム光学素子１１３の上記接線方向に４分割されている２つの領域のうち、上記半径方向内側の４つの領域を上記回転方向順に１１３Ａ，１１３Ｂ，１１３Ｇ，１１３Ｈとし、上記半径方向外側の４つの領域を上記回転方向順に１１３Ｃ，１１３Ｄ，１１３Ｉ，１１３Ｊとする。ホログラム光学素子１１３の各領域１１３Ａ，１１３Ｂ，１１３Ｇ，１１３Ｈ，１１３Ｃ，１１３Ｄ，１１３Ｉ，１１３Ｊに対応する受光素子１１４の受光部分は、それぞれ１１４Ａ，１１４Ｂ，１１４Ｇ，１１４Ｈ，１１４Ｃ，１１４Ｄ，１１４Ｉ，１１４Ｊとする。
ホログラム光学素子１１３の中央部で上記接線方向に２分割された領域のうち、上記半径方向に２分割されている領域を１１３Ｅ，１１３Ｆとし、もう一方の領域を１１３Ｋとする。ホログラム光学素子１１３の各領域１１３Ｅ，１１３Ｆ、１１３Ｋに対応する受光素子１１４の受光部分をそれぞれ１１４Ｅ，１１４Ｆ、１１４Ｋ１，１１４Ｋ２とする。ただし、領域１１３Ｋからの回折光は、受光部１１４Ｋ１，１１４Ｋ２の境界線上に集光される。領域１１４Ａ，１１４Ｂ，１１４Ｃ，１１４Ｄ，１１４Ｅ，１１４Ｆ，１１４Ｇ，１１４Ｈ，１１４Ｉ，１１４Ｊ，１１４Ｋ１，１１４Ｋ２からの光量信号はＡ，Ｂ，Ｃ，Ｄ，Ｅ，Ｆ，Ｇ，Ｈ，Ｉ，Ｊ，Ｋ１，Ｋ２とする。
【００５０】
受光素子１１４の各領域１１４Ａ，１１４Ｂ，１１４Ｃ，１１４Ｄ，１１４Ｅ，１１４Ｆ，１１４Ｇ，１１４Ｈ，１１４Ｉ，１１４Ｊ，１１４Ｋ１，１１４Ｋ２からの光量信号Ａ，Ｂ，Ｃ，Ｄ，Ｅ，Ｆ，Ｇ，Ｈ，Ｉ，Ｊ，Ｋ１，Ｋ２を演算する演算手段は、加算手段、減算手段、乗算手段から構成される。受光素子１１４の各領域から出力された光量信号は、演算手段に入力され、演算される。この演算手段は、演算結果として、フォーカス誤差信号Ｆｏ、トラック誤差信号Ｔｒ、ラジアルチルト信号Ｔｒａｄ、タンジェンシャルチルト信号Ｔｔａｎを出力する。この演算手段の演算を式で表すと、
Ｆｏ＝Ｋ１−Ｋ２
Ｔｒ＝Ａ＋Ｂ−（Ｃ＋Ｄ）−ｋ（Ｅ−Ｆ）
Ｔｒａｄ＝Ａ＋Ｄ＋Ｉ＋Ｈ−（Ｂ＋Ｇ＋Ｃ＋Ｊ）
Ｔｔａｎ＝Ａ＋Ｂ＋Ｃ＋Ｄ−（Ｇ＋Ｈ＋Ｉ＋Ｊ）
となる。但し、ｋは光ピックアップ装置の光学系及び光記録媒体によって決まる一定値である。この演算方法を用いると、第１実施形態と同様に、ラジアル方向、タンジェンシャル方向両方向のチルト信号を高感度に検出でき、対物レンズシフトの影響も受けない。さらに、トラック誤差信号においても、レンズシフトの影響を受けない。
【００５１】
本実施形態のフォーカス誤差信号はナイフエッジ方を用いて検出している。この検出方法は、光記録媒体１０７から反射して戻ってきた収束光の光路幅にナイフエッジを配置して、受光素子１１４上での光点像の移動量を検出することによってフォーカス誤差信号を検出する方法である。本実施形態では、ナイフエッジの役割を果たしているのが光学ホログラム光学素子１１３である。光記録媒体１０７が対物レンズ１０６の合焦位置にあるときは、ナイフエッジの影響がなく、フォーカス誤差信号Ｆｏは０となる。光記録媒体１０７が対物レンズ１０６の合焦位置より焦点が近すぎたり、遠すぎたりすると、ナイフエッジによって光がけられるようになるので、フォーカス誤差信号Ｆｏは正または負の値を持つことになり、フォーカス誤差信号が検出できる。
【００５２】
さらに、第３実施形態において、ホログラム光学素子１１３の代わりに、図９，図１０，図１１，図１２に示すような分割したホログラム光学素子１１５、１１７、１１９、１２１を用いると、受光素子数を低減することができる。
【００５３】
図９に示すように、ホログラム光学素子１１５の回折格子においては、光記録媒体１０７の接線方向に２分割された２つの領域のうちの一方の領域は、反射０次光と反射±１次回折光とで形成される干渉領域に相当する光記録媒体１０７半径方向の両端部が光記録媒体１０７の接線方向に２分割され、さらに反射光の中央部が入射する領域が光記録媒体１０７の半径方向に２分割されている。
ホログラム光学素子１１５の該一方の領域の各分割領域は光記録媒体１０７の半径方向内側から光記録媒体１０７の回転方向順にそれぞれ１１５Ａ，１１５Ｂ，１１５Ｅ，１１５Ｆ，１１５Ｃ，１１５Ｄとする。ホログラム光学素子１１５の回折格子において、光記録媒体１０７の接線方向に２分割された２つの領域のうちのもう一方の領域は、反射０次光と反射±１次回折光とで形成される干渉領域に相当する光記録媒体１０７半径方向の両端部と中央部からなり、光記録媒体１０７の半径方向内側から領域１１５Ｇ，１１５Ｉ，１１５Ｈとする。
【００５４】
受光素子はホログラム光学素子１１５の各領域１１５Ａ〜１１５Ｉに対応して分割され、ホログラム光学素子１１５の各領域１１５Ａ〜１１５Ｉに対応する受光素子の各領域を１１６Ａ，１１６Ｂ，１１６Ｃ，１１６Ｄ，１１６Ｅ，１１６Ｆ，１１６Ｇ，１１６Ｈ，１１６Ｉ１，１１６Ｉ２とする。ホログラム光学素子１１５の各領域１１５Ａ〜１１５Ｉからの回折光が受光素子の対応する各領域１１６Ａ，１１６Ｂ，１１６Ｃ，１１６Ｄ，１１６Ｅ，１１６Ｆ，１１６Ｇ，１１６Ｈ，１１６Ｉ１，１１６Ｉ２に集光される。ただし、領域１１５Ｉからの回折光は、受光部１１６Ｉ１，１１６Ｉ２の境界線上に集光される。受光素子の各領域１１６Ａ，１１６Ｂ，１１６Ｃ，１１６Ｄ，１１６Ｅ，１１６Ｆ，１１６Ｇ，１１６Ｈ，１１６Ｉ１，１１６Ｉ２からの光量信号はそれぞれＡ，Ｂ，Ｃ，Ｄ，Ｅ，Ｆ，Ｇ，Ｈ，Ｉ１，Ｉ２とする。
受光素子の各領域１１６Ａ，１１６Ｂ，１１６Ｃ，１１６Ｄ，１１６Ｅ，１１６Ｆ，１１６Ｇ，１１６Ｈ，１１６Ｉ１，１１６Ｉ２からの光量信号Ａ，Ｂ，Ｃ，Ｄ，Ｅ，Ｆ，Ｇ，Ｈ，Ｉ１，Ｉ２を演算する演算手段は、フォーカス誤差信号Ｆｏ、トラック誤差信号Ｔｒ、ラジアルチルト信号Ｔｒａｄ、タンジェンシャルチルト信号Ｔｔａｎを
Ｆｏ＝Ｉ１−Ｉ２
Ｔｒ＝Ａ＋Ｂ−（Ｃ＋Ｄ）−ｋ（Ｅ−Ｆ）
Ｔｒａｄ＝Ａ＋Ｄ−（Ｂ＋Ｃ）
Ｔｔａｎ＝Ａ＋Ｂ＋Ｃ＋Ｄ−（Ｇ＋Ｈ）
なる式で算出する。
【００５５】
図１０に示すように、ホログラム光学素子１１７の回折格子においては、光記録媒体１０７の接線方向に２分割された２つの領域のうちの一方の領域は、反射０次光と反射±１次回折光とで形成される干渉領域に相当する光記録媒体１０７半径方向の両端部と、中央部が光記録媒体１０７の半径方向に２分割された領域とからなる。ホログラム光学素子１１５の該一方の領域の各分割領域は光記録媒体１０７の半径方向内側から１１７Ａ，１１７Ｂ，１１７Ｃ，１１７Ｄとする。ホログラム光学素子１１５の回折格子において、光記録媒体１０７の接線方向に２分割された２つの領域のうちのもう一方の領域は、反射０次光と反射±１次回折光とで形成される干渉領域に相当する光記録媒体１０７半径方向の両端部が光記録媒体１０７の接線方向に２分割され、光記録媒体１０７の半径方向内側から光記録媒体１０７の回転方向順に領域１１７Ｅ，１１７Ｆ，１１７Ｉ，１１７Ｇ，１１７Ｈとする。
【００５６】
受光素子はホログラム光学素子１１７の各領域１１７Ａ〜１１７Ｉに対応して分割され、ホログラム光学素子１１７の各領域１１７Ａ〜１１７Ｉに対応する受光素子の各領域を１１８Ａ，１１８Ｂ，１１８Ｃ，１１８Ｄ，１１８Ｅ，１１８Ｆ，１１８Ｇ，１１８Ｈ，１１８Ｉ１，１１８Ｉ２とする。ただし、領域１１７Ｉからの回折光は、受光部１１８Ｉ１，１１８Ｉ２の境界線上に集光される。ホログラム光学素子１１７の各領域１１７Ａ〜１１７Ｉからの回折光が受光素子の対応する各領域１１８Ａ，１１８Ｂ，１１８Ｃ，１１８Ｄ，１１８Ｅ，１１８Ｆ，１１８Ｇ，１１８Ｈ，１１８Ｉ１，１１８Ｉ２に集光される。受光素子の各領域１１８Ａ，１１８Ｂ，１１８Ｃ，１１８Ｄ，１１８Ｅ，１１８Ｆ，１１８Ｇ，１１８Ｈ，１１８Ｉ１，１１８Ｉ２からの光量信号はそれぞれＡ，Ｂ，Ｃ，Ｄ，Ｅ，Ｆ，Ｇ，Ｈ，Ｉ１，Ｉ２とする。
【００５７】
受光素子の各領域１１８Ａ，１１８Ｂ，１１８Ｃ，１１８Ｄ，１１８Ｅ，１１８Ｆ，１１８Ｇ，１１８Ｈ，１１８Ｉ１，１１８Ｉ２からの光量信号Ａ，Ｂ，Ｃ，Ｄ，Ｅ，Ｆ，Ｇ，Ｈ，Ｉ１，Ｉ２を演算する演算手段は、フォーカス誤差信号Ｆｏ、トラック誤差信号Ｔｒ、ラジアルチルト信号Ｔｒａｄ、タンジェンシャルチルト信号Ｔｔａｎを
Ｆｏ＝Ｉ１−Ｉ２
Ｔｒ＝Ａ−Ｄ−ｋ（Ｂ−Ｃ）
Ｔｒａｄ＝Ｅ＋Ｈ−（Ｆ＋Ｇ）
Ｔｔａｎ＝Ａ＋Ｄ−（Ｅ＋Ｆ＋Ｇ＋Ｈ）
なる式で算出する。
【００５８】
図１１に示すように、ホログラム光学素子１１９の回折格子においては、光記録媒体１０７の接線方向に２分割された２つの領域のうちの一方の領域は、反射０次光と反射±１次回折光とで形成される干渉領域に相当する光記録媒体１０７半径方向の両端部が光記録媒体１０７の接線方向に２分割され、さらに反射光の中央部が入射する領域が光記録媒体１０７の半径方向に２分割されている。
ホログラム光学素子１１９の該一方の領域の各分割領域は光記録媒体１０７の半径方向内側から光記録媒体１０７の回転方向順にそれぞれ１１９Ａ，１１９Ｂ，１１９Ｅ，１１９Ｆ，１１９Ｃ，１１９Ｄとする。ホログラム光学素子１１５の回折格子において、光記録媒体１０７の接線方向に２分割された２つの領域のうちのもう一方の領域は領域１１９Ｇとする。
【００５９】
受光素子はホログラム光学素子１１９の各領域１１９Ａ〜１１９Ｇに対応して分割され、ホログラム光学素子１１９の各領域１１９Ａ〜１１９Ｇに対応する受光素子の各領域を１２０Ａ，１２０Ｂ，１２０Ｃ，１２０Ｄ，１２０Ｅ，１２０Ｆ，１２０Ｇ１，１２０Ｇ２とする。ただし、領域１１９Ｇ  からの回折光は、受光部１２０Ｇ１，１２０Ｇ２の境界線上に集光される。ホログラム光学素子１１９の各領域１１９Ａ〜１１９Ｇからの回折光が受光素子の対応する各領域１２０Ａ，１２０Ｂ，１２０Ｃ，１２０Ｄ，１２０Ｅ，１２０Ｆ，１２０Ｇ１，１２０Ｇ２に集光される。受光素子の各領域１２０Ａ，１２０Ｂ，１２０Ｃ，１２０Ｄ，１２０Ｅ，１２０Ｆ，１２０Ｇ１，１２０Ｇ２からの光量信号はそれぞれＡ，Ｂ，Ｃ，Ｄ，Ｅ，Ｆ，Ｇ１，Ｇ２とする。
【００６０】
受光素子の各領域１２０Ａ，１２０Ｂ，１２０Ｃ，１２０Ｄ，１２０Ｅ，１２０Ｆ，１２０Ｇ１，１２０Ｇ２からの光量信号Ａ，Ｂ，Ｃ，Ｄ，Ｅ，Ｆ，Ｇ１，Ｇ２を演算する演算手段は、フォーカス誤差信号Ｆｏ、トラック誤差信号Ｔｒ、ラジアルチルト信号Ｔｒａｄ、タンジェンシャルチルト信号Ｔｔａｎを
Ｆｏ＝Ｇ１−Ｇ２
Ｔｒ＝Ａ＋Ｂ−（Ｃ＋Ｄ）−ｋ（Ｅ−Ｆ）
Ｔｒａｄ＝Ａ＋Ｄ−（Ｂ＋Ｃ）
Ｔｔａｎ＝Ａ＋Ｂ＋Ｃ＋Ｄ＋Ｅ＋Ｆ−Ｇ
なる演算で算出する。
【００６１】
図１２に示すように、ホログラム光学素子１２１の回折格子においては、反射０次光と反射±１次回折光とで形成される干渉領域に相当する光記録媒体１０７半径方向の両端部が光記録媒体１０７の接線方向にそれぞれ３分割され、さらに反射光の中央部が入射する領域が光記録媒体１０７の半径方向に２分割されている。ホログラム光学素子１２１の各分割領域は、光記録媒体１０７の半径方向内側から光記録媒体１０７の回転方向順にそれぞれ領域１２１Ａ，１２１Ｂ，１２１Ｃ，１２１Ｇ，１２１Ｈ，１２１Ｄ，１２１Ｅ，１２１Ｆとする。
【００６２】
受光素子はホログラム光学素子１２１の各領域１２１Ａ，１２１Ｂ，１２１Ｃ，１２１Ｇ，１２１Ｈ，１２１Ｄ，１２１Ｅ，１２１Ｆに対応して分割され、ホログラム光学素子１２１の各領域１２１Ａ，１２１Ｂ，１２１Ｃ，１２１Ｇ，１２１Ｈ，１２１Ｄ，１２１Ｅ，１２１Ｆに対応する受光素子の各領域を１２２Ａ，１２２Ｂ，１２２Ｃ，１２２Ｄ，１２２Ｅ，１２２Ｆ，１２２Ｇ１，１２２Ｇ２とする。ただし、領域１２１Ｇからの回折光は、受光部１２２Ｇ１，１２２Ｇ２の境界線上に集光される。ホログラム光学素子１２１の各領域１２１Ａ，１２１Ｂ，１２１Ｃ，１２１Ｇ，１２１Ｈ，１２１Ｄ，１２１Ｅ，１２１Ｆからの回折光が受光素子の対応する各領域１２２Ａ，１２２Ｂ，１２２Ｃ，１２２Ｄ，１２２Ｅ，１２２Ｆ，１２２Ｇ１，１２２Ｇ２に集光される。受光素子の各領域１２２Ａ，１２２Ｂ，１２２Ｃ，１２２Ｄ，１２２Ｅ，１２２Ｆ，１２２Ｇ１，１２２Ｇ２からの光量信号はそれぞれＡ，Ｂ，Ｃ，Ｄ，Ｅ，Ｆ，Ｇ１，Ｇ２とする。
【００６３】
受光素子の各領域１２２Ａ，１２２Ｂ，１２２Ｃ，１２２Ｄ，１２２Ｅ，１２２Ｆ，１２２Ｇ１，１２２Ｇ２からの光量信号Ａ，Ｂ，Ｃ，Ｄ，Ｅ，Ｆ，Ｇ１，Ｇ２を演算する演算手段は、フォーカス誤差信号Ｆｏ、トラック誤差信号Ｔｒ、ラジアルチルト信号Ｔｒａｄ、タンジェンシャルチルト信号Ｔｔａｎを
Ｆｏ＝Ｇ１−Ｇ２
Ｔｒ＝Ａ＋Ｂ＋Ｃ−（Ｄ＋Ｅ＋Ｆ）−ｋ（Ｇ−Ｈ）
Ｔｒａｄ＝Ａ＋Ｃ＋Ｅ−（Ｂ＋Ｄ＋Ｆ）
Ｔｔａｎ＝Ａ＋Ｄ−（Ｃ＋Ｆ）
なる演算で算出する。
【００６４】
次に、本発明の第４実施形態について説明する。
この第４実施形態は、光記録媒体の記録面に光ビームを照射して情報の再生、記録、消去の少なくとも１つを行う光ピックアップ装置であり、その構成を図１３に示す。この第４実施形態が上記第３実施形態と異なる点は、レーザ光を出射する光源としての半導体レーザ１２３ａと、光記録媒体１０７からの反射光を回折するホログラム光学素子１２３ｂと、このホログラム光学素子１２３ｂで回折された光記録媒体１０７からの反射光を所定の複数の受光部にて検出する光検出器１２３ｃとを一つのパッケージに収めた受発光素子１２３を備えている点である。第４実施形態は、このような受発光素子１２３を具備することにより、上述した構成要素が半導体レーザ１２３ａから光記録媒体１０７までの間で一列に配列されており、従って、図６のような偏光ビームスプリッタ１０３が不要な構成になっている。上記ホログラム光学素子１２３ｂは図８，図９，図１０，図１１，図１２のいずれかに示すホログラム光学素子であり、フォーカス誤差信号Ｆｏ、トラック誤差信号Ｔｒ、ラジアルチルト信号Ｔｒａｄ、タンジェンシャルチルト信号Ｔｔａｎは上記第３実施形態と同様に求められる。
【００６５】
第４実施形態では、このようなパッケージに収めた受発光素子１２３を構成することにより、より小型化、低コスト化が可能となる。また、受発光素子１２３は、パッケージに収める場合、パッケージの大きさが受光素子のセグメント数に制限される。したがって、受光素子セグメント数がより少ないホログラム光学素子の方が小型化、低コスト化に有利となる。
【００６６】
図２２は本発明の第５実施形態を示す。この第５実施形態は、光情報処理装置の一形態であり、上記第１実施形態乃至第４実施形態のいずれかの光ピックアップ装置を用いて光記録媒体１０７に対する情報の再生、記録、消去の少なくとも１つを行う装置３６である。この第５実施形態では、光記録媒体１０７は、ディスク状であり、保護ケース３７内に格納されている。光記録媒体１０７は、保護ケース３７ごと、挿入口３８から光情報処理装置３６内に矢印方向へ挿入されてセットされ、スピンドルモータ３９により回転され、光ピックアップ装置４０により情報の再生、記録、消去の少なくとも１つが行われる。光ピックアップ装置４０は、上記第１実施形態乃至第４実施形態のいずれかの光ピックアップ装置が用いられる。
【００６７】
この第５実施形態によれば、上記実施形態と同様に、対物レンズの高ＮＡ化、光源波長の短波長化に伴って求められる、高精度なラジアルチルト信号検出、高精度なタンジェンシャルチルト信号検出を行うことができ、部品点数を増やすことなく、レーザ光使用効率の良いオフセット補正がなされたトラック誤差信号を検出でき、さらに、受光素子セグメント数の減少を図ることができて小型化、低コスト化を実現することができる。
【００６８】
【発明の効果】
以上のように本発明によれば、対物レンズの高ＮＡ化、光源波長の短波長化に伴って求められる、高精度なラジアルチルト信号検出、高精度なタンジェンシャルチルト信号検出を行うことができ、部品点数を増やすことなく、レーザ光使用効率の良いオフセット補正がなされたトラック誤差信号を検出でき、さらに、受光素子セグメント数の減少を図ることができて小型化、低コスト化を実現することができる。
【図面の簡単な説明】
【図１】本発明の第１実施形態の構成を示す図である。
【図２】同第１実施形態の一部を示す斜視図である。
【図３】同第１実施形態の受光素子を示す平面図である。
【図４】本発明の第２実施形態における受光素子を示す平面図である。
【図５】同第２実施形態で用いられる他の受光素子を示す平面図である。
【図６】本発明の第３実施形態の構成を示す図である。
【図７】同第３実施形態のホログラム光学素子及び受光素子を示す斜視図である。
【図８】同第３実施形態のホログラム光学素子を示す平面図である。
【図９】同第３実施形態で用いられる他のホログラム光学素子を示す平面図である。
【図１０】同第３実施形態で用いられる他のホログラム光学素子を示す平面図である。
【図１１】同第３実施形態で用いられる他のホログラム光学素子を示す平面図である。
【図１２】同第３実施形態で用いられる他のホログラム光学素子を示す平面図である。
【図１３】本発明の第４実施形態の構成を示す図である。
【図１４】従来のチルト検出手段を示す概略図である。
【図１５】従来の他のチルト検出手段を示すブロック図である。
【図１６】従来の他のチルト検出手段におけるホログラム光学素子を示す平面図である。
【図１７】従来の他のチルト検出手段を示すブロック図である。
【図１８】従来の他のチルト検出手段における受光素子を示す平面図である。
【図１９】光ピックアップ装置において光記録媒体のラジアル方向のチルトに伴う０次回折光と＋１次回折光との干渉領域と、０次回折光と−１次回折光との干渉領域の光強度の変化を示す図である。
【図２０】光ピックアップ装置において光記録媒体のタンジェンシャル方向のチルトに伴う０次回折光と＋１次回折光との干渉領域と、０次回折光と−１次回折光との干渉領域の光強度の変化を示す図である。
【図２１】光ピックアップ装置において光記録媒体のラジアル方向及びタンジェンシャル方向のチルトに伴う０次回折光と＋１次回折光との干渉領域と、０次回折光と−１次回折光との干渉領域の光強度の変化を示す図である。
【図２２】本発明の第５実施形態を示す斜視図である。
【符号の説明】
１０１      半導体レーザ
１０２      コリメートレンズ
１０３      偏光ビームスプリッタ
１０４      プリズム
１０５      １／４波長板
１０６      対物レンズ
１０７      光記録媒体
１０８      検出レンズ
１０９      円筒レンズ
１１０、１１１、１１２、１１４      受光素子
１１３、１１５、１１７、１１９、１２１      ホログラム光学素子
１２３      受発光素子
【図１】
2005018894.tif 000004
【図２】
2005018894.tif 000005
【図３】
2005018894.tif 000006
【図４】
2005018894.tif 000007
【図５】
2005018894.tif 000008
【図６】
2005018894.tif 000009
【図７】
2005018894.tif 000010
【図８】
2005018894.tif 000011
【図９】
2005018894.tif 000012
【図１０】
2005018894.tif 000013
【図１１】
2005018894.tif 000014
【図１２】
2005018894.tif 000015
【図１３】
2005018894.tif 000016
【図１４】
2005018894.tif 000017
【図１５】
2005018894.tif 000018
【図１６】
2005018894.tif 000019
【図１７】
2005018894.tif 000020
【図１８】
2005018894.tif 000021
【図１９】
2005018894.tif 000022
【図２０】
2005018894.tif 000023
【図２１】
2005018894.tif 000024
【図２２】
2005018894.tif 000025